(57)【特許請求の範囲】
【請求項１】
複数の物品を収納部材に収納する収納装置であって、
物品を搬送する搬送手段と、
複数の物品が保管される可動保管体を有する第１保管手段と、
複数の物品が保管される固定保管体を有する第２保管手段と、
前記搬送手段から前記可動保管体に物品を移動させる第１移動手段と、
複数の物品を互いに隣り合う物品間に間隙が存在する状態に保持する保持ハンドを有し、この保持ハンドを用いて複数の物品を移送して前記収納部材に互いに隣り合う物品間に間隙が存在する状態に収納する移送手段と、
前記可動保管体から前記固定保管体への物品の移動及び前記固定保管体から前記保持ハンドへの物品の移動を行う第２移動手段と
を備えることを特徴とする収納装置。
【請求項２】
複数の物品を収納部材に収納する収納装置であって、
物品を搬送する搬送手段と、
複数の物品が保管される可動保管体を有する第１保管手段と、
複数の物品が保管される固定保管体を有する第２保管手段と、
前記搬送手段から前記可動保管体に物品を移動させる第１移動手段と、
複数の物品を保持する保持ハンドを有し、この保持ハンドを用いて複数の物品を前記収納部材へ移送する移送手段と、
前記可動保管体から前記固定保管体への物品の移動及び前記固定保管体から前記保持ハンドへの物品の移動を行う第２移動手段と
を備えることを特徴とする収納装置。
【請求項３】
前記第１保管手段の前記可動保管体及び前記第２保管手段の前記固定保管体は、物品が保管される物品保管部を複数有し、
前記可動保管体及び前記固定保管体の前記物品保管部には、それぞれの物品が互いに隣り合う物品間に間隙が存在する状態に保管される
ことを特徴とする請求項１または２記載の収納装置。
【請求項４】
前記第２保管手段の前記固定保管体は、前記第１保管手段の前記可動保管体の前記物品保管部の数よりも多くの前記物品保管部を有する
ことを特徴とする請求項３記載の収納装置。
【請求項５】
前記可動保管体は、上下方向に移動可能であり、
前記第１移動手段は、搬入位置に位置する前記可動保管体の前記物品保管部に物品を移動させ、
前記可動保管体は、前記可動保管体の前記物品保管部に物品が搬入される度に所定距離だけ上昇又は下降し、次の物品を受け入れ可能な前記可動保管体の前記物品保管部を搬入位置に移動させる
ことを特徴とする請求項３または４記載の収納装置。
【請求項６】
前記可動保管体の前記物品保管部の数は、前記保持ハンドが保持する物品の数よりも多い
ことを特徴とする請求項３ないし５のいずれか一記載の収納装置。
【請求項７】
前記第１移動手段は、物品を１つずつ移動させ、
前記第２移動手段は、複数の物品を同時に移動させる
ことを特徴とする請求項１ないし６のいずれか一記載の収納装置。
【請求項８】
前記移送手段の前記保持ハンドは、
複数の物品が互いに隣り合う物品間に間隙が存在する状態に収納される収納体と、
この収納体に収納された複数の物品を保持する保持体とを有する
ことを特徴とする請求項１ないし７のいずれか一記載の収納装置。
【請求項９】
複数の物品を収納部材に収納する収納装置であって、
物品を搬送する搬送手段と、
複数の物品が間隔を空けた状態で保管される可動保管体を有する保管手段と、
前記搬送手段から前記可動保管体に物品を移動させる第１移動手段と、
複数の物品を保持する保持ハンドを有し、この保持ハンドを用いて複数の物品を前記収納部材へ移送する移送手段と、
前記可動保管体に保管された複数の物品を、前記可動保管体から押し出して前記保持ハンドに一斉に移動させる第２移動手段と
を備えることを特徴とする収納装置。
【請求項１０】
前記可動保管体は、複数の物品保管部を有し、
前記可動保管体の前記物品保管部の数は、前記保持ハンドが保持する物品の数よりも多く、
前記第２移動手段によって前記可動保管体から前記保持ハンドに物品を移動している最中に、前記第１移動手段が前記可動保管体の空の前記物品保管部に物品を移動させる
ことを特徴とする請求項９に記載の収納装置。
【請求項１１】
搬送手段によって物品を搬送するステップと、
複数の物品が保管される可動保管体を有する第１保管手段に対して、第１移動手段によって物品を前記搬送手段から前記可動保管体に移動させるステップと、
前記可動保管体に保管された複数の物品を、第２移動手段によって固定保管体へ移動させるステップと、
前記固定保管体内の複数の物品を、引き続き前記第２移動手段によって、複数の物品を互いに隣り合う物品間に間隙が存在する状態に保持可能な保持ハンドに移動させるステップと、
複数の物品を保持した前記保持ハンドを前記保持ハンドが接続された移送手段によって移動させて物品を移送するステップと
を含むことを特徴とする物品移送方法。
【請求項１２】
搬送手段によって物品を搬送するステップと、
複数の物品が保管される可動保管体を有する第１保管手段に対して、第１移動手段によって物品を前記搬送手段から前記可動保管体に移動させるステップと、
前記可動保管体に保管された複数の物品を、第２移動手段によって固定保管体へ移動させるステップと、
前記固定保管体内の複数の物品を、引き続き前記第２移動手段によって、複数の物品を保持可能な保持ハンドに移動させるステップと、
複数の物品を保持した前記保持ハンドを前記保持ハンドが接続された移送手段によって移動させて物品を移送するステップと
を含むことを特徴とする物品移送方法。
【発明の詳細な説明】
【技術分野】
【０００１】
本発明は、複数の物品を収納部材に収納する収納装置及び物品移送方法に関するものである。
【背景技術】
【０００２】
従来、例えば下記の特許文献１に記載された収納部材（コンテナ）が知られている。
【０００３】
この従来の収納部材は、矩形状の底板と、この底板の長手方向両端部に設けられた１対の第１側板と、底板の短手方向両端部に設けられた１対の第２側板とを備えている。また、底板及び各第１側板には、隣り合う物品同士を仕切る細長板状の仕切板が突設されている。
【０００４】
そして、この収納部材には、複数の物品（例えば保冷材）が仕切板によって仕切られて互いに隣り合う物品間に間隙が存在する状態に収納される。
【先行技術文献】
【特許文献】
【０００５】
【特許文献１】特許第５３７１０１６号公報
【発明の概要】
【発明が解決しようとする課題】
【０００６】
そして、そのような収納作業を適切に行うことができる装置が求められている。
【０００７】
本発明は、このような点に鑑みなされたもので、複数の物品を適切に収納できる収納装置及び物品移送方法を提供することを目的とする。
【課題を解決するための手段】
【０００８】
本発明に係る収納装置は、複数の物品を収納部材に収納する収納装置であって、物品を搬送する搬送手段と、複数の物品が保管される可動保管体を有する第１保管手段と、複数の物品が保管される固定保管体を有する第２保管手段と、前記搬送手段から前記可動保管体に物品を移動させる第１移動手段と、複数の物品を互いに隣り合う物品間に間隙が存在する状態に保持する保持ハンドを有し、この保持ハンドを用いて複数の物品を移送して前記収納部材に互いに隣り合う物品間に間隙が存在する状態に収納する移送手段と、前記可動保管体から前記固定保管体への物品の移動及び前記固定保管体から前記保持ハンドへの物品の移動を行う第２移動手段とを備えるものである。
【０００９】
また、本発明に係る収納装置は、複数の物品を収納部材に収納する収納装置であって、物品を搬送する搬送手段と、複数の物品が保管される可動保管体を有する第１保管手段と、複数の物品が保管される固定保管体を有する第２保管手段と、前記搬送手段から前記可動保管体に物品を移動させる第１移動手段と、複数の物品を保持する保持ハンドを有し、この保持ハンドを用いて複数の物品を前記収納部材へ移送する移送手段と、前記可動保管体から前記固定保管体への物品の移動及び前記固定保管体から前記保持ハンドへの物品の移動を行う第２移動手段とを備えるものである。
【００１０】
さらに、本発明に係る収納装置は、複数の物品を収納部材に収納する収納装置であって、物品を搬送する搬送手段と、複数の物品が間隔を空けた状態で保管される可動保管体を有する保管手段と、前記搬送手段から前記可動保管体に物品を移動させる第１移動手段と、複数の物品を保持する保持ハンドを有し、この保持ハンドを用いて複数の物品を前記収納部材へ移送する移送手段と、前記可動保管体に保管された複数の物品を、前記可動保管体から押し出して前記保持ハンドに一斉に移動させる第２移動手段とを備えるものである。
【００１１】
また、本発明に係る物品移送方法は、搬送手段によって物品を搬送するステップと、複数の物品が保管される可動保管体を有する第１保管手段に対して、第１移動手段によって物品を前記搬送手段から前記可動保管体に移動させるステップと、前記可動保管体に保管された複数の物品を、第２移動手段によって固定保管体へ移動させるステップと、前記固定保管体内の複数の物品を、引き続き前記第２移動手段によって、複数の物品を互いに隣り合う物品間に間隙が存在する状態に保持可能な保持ハンドに移動させるステップと、複数の物品を保持した前記保持ハンドを前記保持ハンドが接続された移送手段によって移動させて物品を移送するステップとを含むものである。
【００１２】
さらに、本発明に係る物品移送方法は、搬送手段によって物品を搬送するステップと、複数の物品が保管される可動保管体を有する第１保管手段に対して、第１移動手段によって物品を前記搬送手段から前記可動保管体に移動させるステップと、前記可動保管体に保管された複数の物品を、第２移動手段によって固定保管体へ移動させるステップと、前記固定保管体内の複数の物品を、引き続き前記第２移動手段によって、複数の物品を保持可能な保持ハンドに移動させるステップと、複数の物品を保持した前記保持ハンドを前記保持ハンドが接続された移送手段によって移動させて物品を移送するステップとを含むものである。
【発明の効果】
【００１３】
本発明によれば、収納部材に対して複数の物品を適切に収納することができる。
【図面の簡単な説明】
【００１４】
【図１】本発明の第１の実施の形態に係る収納装置の要部側面図である。
【図２】同上収納装置の要部平面図である。
【図３】同上収納装置の全体概略図である。
【図４】（ａ）は被収納物である物品の斜視図で、（ｂ）はその物品が収納される収納部材の平面図である。
【図５】（ａ）は同上収納装置の第１保管手段の側面図で、（ｂ）はその前面図である。
【図６】（ａ）は同上収納装置の第２保管手段の側面図で、（ｂ）はその前面図である。
【図７】（ａ）は同上収納装置の第１移動手段の平面図で、（ｂ）はその側面図である。
【図８】同上収納装置の第２移動手段の前面図である。
【図９】（ａ）ないし（ｃ）は同上第２移動手段の平面図である。
【図１０】同上収納装置の保持ハンド（縦姿勢）の正面図である。
【図１１】同上保持ハンドの保持状態時の側面図である。
【図１２】同上保持ハンドの保持解除状態時において物品が押動された状態を示す図である。
【図１３】同上収納装置の動作を説明するための動作図１である。
【図１４】同上収納装置の動作を説明するための動作図２（平面視）である。
【図１５】図１４に続く図である。
【図１６】同上収納装置の動作を説明するための動作図３（側面視）である。
【図１７】図１６に続く図である。
【図１８】本発明の第２の実施の形態に係る収納装置の要部側面図である。
【図１９】同上収納装置の要部平面図である。
【図２０】同上収納装置の動作説明図である。
【図２１】移送手段の保持ハンドの変形例を示す図である。
【発明を実施するための形態】
【００１５】
本発明の第１の実施の形態について図１ないし図１７を参照して説明する。
【００１６】
図３に示すように、図中の１は収納装置で、この収納装置１は、被収納物である物品２を収納部材であるコンテナ３に複数個ずつ順次投入して自動収納する収納システムである。
【００１７】
物品２は、図４（ａ）等に示すように、例えば扁平直方体状の保冷材であり、常温では液状となる保冷剤５が扁平直方体状の容器６内に貯留されたものである。容器６は、保冷剤５を注入するための注入口部７を上端中央部に有する容器本体８と、この容器本体８の注入口部７に脱着可能に装着された蓋体（キャップ）９とを備えている。なお、物品２は、図４（ａ）に図示した保冷材には限定されず、例えば冷気が通過する複数の貫通孔が形成されたものでもよく、また、棒状のものや直方体状のもの等でもよい。
【００１８】
コンテナ３は、図４（ｂ）等に示すように、例えば折畳み可能な外形直方体状のコンテナ（ケース）であり、起立状態の物品２を各列で例えば１０個ずつ、最大で合計２０個収納可能なものである。なお、コンテナ３内において、一方側である左側で１列に並ぶ複数の物品（一の物品列）２と、他方側である右側で１列に並ぶ複数の物品（他の物品列）２との間には、次工程での物品２の冷却時に冷気が通過する比較的大きな空間部である中央空間部（中央空きスペース）11が存在する。
【００１９】
具体的には、コンテナ３は、平面視で矩形状をなす底板12と、この底板12の長手方向両端部に設けられた左右１対の第１側板13と、底板12の短手方向両端部に設けられた前後１対の第２側板14とを備え、これら底板12、各第１側板13及び各第２側板14には、冷気が通過する複数の貫通孔（図示せず）が形成されている。
【００２０】
また、底板12及び各第１側板13には、列方向（前後方向）に互いに隣り合う物品２同士を仕切って両物品２間に間隙ａを形成する細長板状の仕切部である仕切板15がそれぞれ突設されている。なお、底板12のうち、中央空間部11に対応する部分である長手方向中央部には、仕切板15は設けられていない。つまり、底板12の左側部分には仕切板15（15L）が突設され、底板12の右側部分には仕切板15（15R）が突設されている。なお、図示しないが、中央空間部11には長手方向に沿って僅かに隆起する隆起部が形成されている。
【００２１】
そして、このような仕切板15を有する仕切付きのコンテナ３に対して、収納装置１によって、複数の物品２が、蓋体９を上に向けた起立状態であって、列方向に互いに隣り合う物品２間に間隙ａが存在する状態で、かつ、列状の物品２間（物品列間）に中央空間部11が存在する複数列の状態となるように、連続的に自動収納される。
【００２２】
つまり、収納装置１は、上面開口状のコンテナ３に対して、複数の物品２を各物品２が起立姿勢であり、互いに隣り合う物品２の立側面間に間隙ａが存在する状態でかつ複数列状に自動収納する保冷材箱詰めシステムである。
【００２３】
収納装置１は、まず図３に示すように、複数の物品２を間隔および方向が未整列（ランダム）な状態のまま搬送する幅広搬送手段21と、この幅広搬送手段21で搬送される物品２の姿勢を同方向に修正し、かつ物品２を１列に整列する整列手段22と、この整列手段22による整列後の物品２をその１列状態のまま搬送方向に向けて搬送する搬送手段23とを備えている。
【００２４】
また、収納装置１は、空コンテナ３を搬送する空コンテナ搬送手段24と、所定数（例えば２０個）の物品２が所望状態に収納された実コンテナ３を次工程の冷却装置（図示せず）に向けて搬送する実コンテナ搬送手段25とを備えている。
【００２５】
また一方、収納装置１は、図１及び図２に示すように、搬送手段23の搬送終端部に近接して設けられ、複数の物品２が水平方向に沿った倒伏状態でかつ上下方向に互いに隣り合う物品２間に間隙ａが存在する状態に一時的に保管される可動保管体31を有する第１保管手段32と、この第１保管手段32に近接して設けられ、複数の物品２が水平方向に沿った倒伏状態でかつ上下方向に互いに隣り合う物品２間に間隙ａが存在する状態に一時的に保管される固定保管体33を有する第２保管手段34とを備えている。つまり、前後方向に並ぶ２つの保管手段32，34が互いに近接して配置されている。なお、これら２つの保管手段32，34によって物品保管手段30が構成されている。
【００２６】
また、収納装置１は、搬送手段23から可動保管体31に物品２を１つずつ倒伏状態のまま水平移動させる第１移動手段36と、複数の物品２を互いに隣り合う物品２間に間隙ａが存在する状態に同時に保持する保持ハンド37を有し、この保持ハンド37を用いて複数の物品２を移送（例えば５つの物品からなる物品群を同時に保持してコンテナ３内の所定位置まで移送）してコンテナ３に収納する移送手段38と、可動保管体31から固定保管体33に物品２を複数同時（例えば５つ同時）に倒伏状態のまま間隔ａを維持しつつ水平移動させた後、所定のタイミングで当該物品２を固定保管体33から保持ハンド37に複数同時（例えば５つ同時）に倒伏状態のまま間隔ａを維持しつつ水平移動させる第２移動手段39とを備えている。
【００２７】
このように、収納装置１は、搬送手段23、第１保管手段32、第２保管手段34、第１移動手段36、第２移動手段39、移送手段38等を備えているが、この各手段の具体的構成について説明する。なお図示しないが、収納装置１は、当該各手段が有する駆動源等を制御する制御手段を備えている。
【００２８】
搬送手段23は、図１に示すように、例えばローラコンベヤであり、モータ等の駆動源（図示せず）からの動力で所定方向に回転しながら物品２を倒伏状態（蓋体９を右側方に向けた倒伏状態）のまま搬送方向である前方に向けて搬送する複数の搬送ローラ41を有している。そして、ローラコンベヤは、搬送ローラ41の回転速度に差を設けることによって、低速で物品２を搬送する低速アキュームゾーンＺ１と、低速アキュームゾーンＺ１よりも高速で物品２を搬送する高速切り離しゾーンＺ２とに構成されている。
【００２９】
低速アキュームゾーンＺ１の搬送終端部と高速切り離しゾーンＺ２の搬送始端部との間の中間位置には、物品２の搬送方向への移動を規制する規制体である中間ストッパ42が上下方向に移動可能に設けられている。中間ストッパ42は、駆動源（図示せず）の作動に基づいて、物品２の搬送方向への移動を規制する規制位置と、物品２の搬送方向への移動を許容する許容位置との間で、上下方向に移動する。
【００３０】
高速切り離しゾーンＺ２の搬送終端部の近傍位置には、物品２の搬送方向への移動を規制する規制体であるストッパ43が上下方向に移動可能に設けられている。ストッパ43は、中間ストッパ42と同様、駆動源（図示せず）の作動に基づいて、物品２の搬送方向への移動を規制する規制位置と、物品２の搬送方向への移動を許容する許容位置との間で、上下方向に移動する。
【００３１】
第１保管手段（昇降棚手段）32は、図５（ａ）及び（ｂ）等に示すように、支持体46を有し、この支持体46の支柱部47には上下方向長手状のレール体48が固設されている。レール体48には、複数（例えば６つ）の物品保管部50を有する棚状の可動保管体（昇降棚部）31が上下方向に移動可能、つまり昇降可能に設けられている。
【００３２】
可動保管体31は、下流の固定保管体33と近接対向する所定の移動領域内において、駆動源（図示せず）の作動に基づいて、１個の物品２の厚さ寸法（倒伏状態の物品２の上下方向寸法）に対応した所定距離ずつ、上下方向に移動する。つまり、可動保管体31は、第１移動手段36によって倒伏状態の１個の物品２が前方へ移動して物品保管部50に搬入される度に、１個の物品２の大きさに対応した所定距離（物品保管部50の１段分）だけ上昇又は下降して、次の物品２を収納可能（受け入れ可能）な物品保管部50を搬入位置に移動（位置）させる。これにより、空の物品保管部50が一段ずつ搬入位置に移動して、連続的に物品２を保管することになる。なお、図示しないが、レール体48内には、可動保管体31を昇降させる駆動体が収納されており、この駆動体は例えばモータ（駆動源）及びボールねじ等によって構成されている。
【００３３】
ここで、可動保管体31は、レール体48に沿って上下方向にスライドするスライド枠51を有し、このスライド枠51には、複数枚（例えば６枚）の矩形状の板状部材である棚板52が互いに等間隔をおいて水平状に固着されている。そして、物品２が載置される棚板52と、この棚板52の上方の保管空間（１個の物品２よりも若干大きな空間）53とによって、物品２が一時的に保管される物品保管部50が構成されている。つまり、この可動保管体31は、上下方向に並ぶ６つの物品保管部50を有し、この各物品保管部50の後面には物品入口54が開口形成され、前面には物品出口55が開口形成されている。また、スライド枠51は、レール体48に対して摺動可能なスライド移動体に固着されている。
【００３４】
第２保管手段（固定棚手段）34は、図６（ａ）及び（ｂ）等に示すように、支持体56を有し、この支持体56の支持板部57には、複数（例えば、中間空間を挟んで上側に５つ、下側に５つ、合計で１０）の物品保管部60を有する棚状の固定保管体（固定棚部）33が固設されている。
【００３５】
固定保管体33の各物品保管部60は、可動保管体31の物品保管部50と同様、支持板部57に水平状に固着された矩形状の板状部材である棚板62と、この棚板62の上方の保管空間（１個の物品２よりも若干大きな空間）63とによって構成されている。つまり、固定保管体33は、上下方向に並ぶ５つの物品保管部（上側物品保管部）60を上側に有するとともに、上下方向に並ぶ５つの物品保管部（下側物品保管部）60を下側に有し、この各物品保管部60の後面には物品入口64が開口形成され、前面には物品出口65が開口形成されている。
【００３６】
この図示した例では、固定保管体33の物品保管部60の数は、合計「１０」であって、保持ハンド37が同時に保持する物品２の数である「５」の２倍であり、また可動保管体31の物品保管部50の数である「６」よりも多い。但し、この数には限定されず、例えば保持ハンド37が同時に保持する物品２の数が「９」である場合には、例えば固定保管体33の物品保管部60の数を「１８」とし、可動保管体31の物品保管部50の数を「１１」としてもよい。つまり、可動保管体31の物品保管部50の数をaとし、固定保管体33の物品保管部60の数をbとし、保持ハンド37が同時に保持する物品２の数をcとすると、b>a>cとなり、a=c+n、b=c×n (nは何れも1以上の整数)とすることができる。なお、本実施の形態では、a=c+1、b=c×2(中間空間を挟んで)となっている。また、本実施の形態での物品保管部60の別の数え方として、全体でb=(c×n)+1で計「１１」であり、中央の「１」の物品保管部60が不使用または後述の収容部66とされ、残りの「１０」が「５」ずつ上下段に分けて使用されると考えてもよい。
【００３７】
なお、可動保管体31の物品保管部50の数は、保持ハンド37が同時に保持する物品２の数よりも多いことが好ましいが、同数でもよい。同様に、固定保管体33の物品保管部60の数は、可動保管体31の物品保管部50の数よりも多いことが好ましいが、同数でもよい。
【００３８】
また、固定保管体33は、上下方向中央部の中間空間に位置決め手段収容部である収容部66を有し、この収容部66には、第１移動手段36による物品２の移動時に物品２の前方への移動を規制して物品２を可動保管体31の物品保管部50内の所定位置に位置決めする位置決め手段67が収容されている。
【００３９】
位置決め手段67は、位置決め用シリンダ68と、この位置決め用シリンダ68のロッド部69の先端に固着された左右方向長手状の位置決め体である位置決め板70とを有している。位置決め板70は、位置決め用シリンダ68の作動に基づいて、収容部66内から可動保管体31側へ進出して物品２を位置決めする進出位置と、収容部66内に退避する退避位置との間で、水平方向である前後方向に移動する。
【００４０】
第１移動手段（第１プッシャ手段）36は、図７（ａ）及び（ｂ）等に示すように、支持体71を有し、この支持体71の上部には前後方向長手状のレール体72が固設されている。レール体72には、スライド移動体73がレール体72に沿って前後方向に移動可能に設けられている。スライド移動体73は、モータ等の駆動源（図示せず）の作動に基づいて、第１位置（待機位置）と第２位置（可動保管体31への物品移動完了位置）との間で水平移動する。
【００４１】
また、スライド移動体73には、シリンダ取付部74を介して昇降用シリンダ75が取り付けられており、この昇降用シリンダ75のロッド部76の先端（下端）には、当該シリンダ75の作動により上位置（非作用位置）及び下位置（作用位置）間で昇降する押し体（プッシャ）77が固着されている。この押し体77は、水平板部78とこの水平板部78の前端部から下方に向かって突出する鉛直板部79とを有し、この鉛直板部79の下端側が、物品２の押し時にその物品２と当接する物品当接部80となっている。
【００４２】
そして、押し体77は、下位置である作用位置に位置した状態での、スライド移動体73の第１位置から第２位置への移動に基づく前方移動により、搬送手段23の高速切り離しゾーンＺ２上の物品（倒伏状態の１個の物品）２を物品当接部80で前方へ押して移動させながら可動保管体31の物品保管部50の物品入口54から保管空間53に搬入する。なお、この際、ストッパである位置決め板70が進出位置に位置して物品出口55を閉鎖しているため、物品２は、物品出口55から飛び出すことがなく、物品保管部50内の所定位置で停止する。
【００４３】
第２移動手段（第２プッシャ手段）39は、図８及び図９等に示すように、支持体81を有し、この支持体81の支柱部82には、互いに平行な上下２本の前後方向長手状のレール体83が固設されている。
【００４４】
各レール体83には、レール体83に沿って前後方向に移動可能なスライド移動体85が設置され、スライド移動体85には、回動軸取付部86及びシリンダ取付部87を有する移動体88が接続されている。そして、上下の各移動体88は、モータ等の駆動源（図示せず）の作動に基づいて、第１位置（待機位置）、第２位置（固定保管体33への物品移動完了位置）、及び第３位置（保持ハンド37への物品移動完了位置）へ、水平移動する（図９（ｃ）を参照）。なお、上側の移動体88及び下側の移動体88は、それぞれ対応する駆動源からの動力によって個別に移動する。
【００４５】
また、各移動体88の回動軸取付部86には、上下方向に軸方向を有する回動軸90が回動可能に取り付けられている。この回動軸90には、複数、例えば５本の物品押し用の棒状部材91が互いに等間隔をおいて水平状に固着されている。各棒状部材91は、物品２の押し時にその物品２と当接する物品当接部92を有し、この物品当接部92は物品保管部50，60を通過可能である。そして、複数（例えば５本）の棒状部材91とこれらが固着された回動軸90とによって、複数（例えば５個）の物品２を同時に押して前方へ移動させる押し体（プッシャ）89が構成されている。なお、押し体89の５本の棒状部材91のうちの１本の棒状部材91（91a）は、略く字状に形成されており、駆動源連結部であるロッド連結部93を有している。
【００４６】
さらに、各移動体88のシリンダ取付部87には、回動用シリンダ95が取り付けられており、この回動用シリンダ95のロッド部96の先端（後端）には、棒状部材91aのロッド連結部93の基端部が回動可能に連結されている。このため、回動用シリンダ95の作動に基づき、回動用シリンダ95に接続された押し体89は、回動軸90を中心として作用位置及び非作用位置間で水平回動する。つまり、回動軸90が回転し、この回転動作に応じて回動軸90に固着された各棒状部材91も連動して回動することで、押し体89が全体として回動する。
【００４７】
そして、押し体89は、作用位置に位置した状態での、移動体88の第１位置から第２位置への移動に基づく前方移動により、可動保管体31の物品保管部50の保管空間53に保管された物品（倒伏状態の５個の物品）２を物品当接部92で複数個同時に前方へ押して移動させながら物品入口64から固定保管体33の物品保管部60の保管空間63に搬入する。
【００４８】
また、押し体89は、作用位置に位置した状態での、移動体88の第２位置から第３位置への移動に基づく前方移動により、固定保管体33の物品保管部60の保管空間63に保管された物品（倒伏状態の５個の物品）２を物品当接部92で複数個同時に前方へ押して移動させながら後述の保持ハンド37の収納空間114に搬入する。
【００４９】
なお、上側の移動体88、上側の押し体89及び上側の回動用シリンダ95等によって上側押し部97が構成され、下側の移動体88、下側の押し体89及び下側の回動用シリンダ95等によって下側押し部98が構成され、これら上側押し部97及び下側押し部98は、それぞれ個別に物品２の押し動作（次への搬入動作）を行う。
【００５０】
移送手段（移送用のロボット手段）は、図１０ないし図１２等に示すように、基台101と、この基台101に旋回可能に設けられた多関節型のロボットアーム102と、このロボットアーム102の先端部に回動中心軸（回動支点）103を中心として回動可能に設けられたロボットハンドである保持ハンド37とを有している。
【００５１】
そして、保持ハンド37は、ロボットアーム102の作動に基づいて所定の移動領域内で任意の方向に移動可能（回動を含む）となっている。この保持ハンド37は、複数(例えば５個)の物品２を、互いに密着させることなく、互いに隣り合う物品２同士を仕切って両物品２間に間隙ａが存在する状態に同時に保持可能なハンド装置である。
【００５２】
ここで、保持ハンド37は、図１０ないし図１２に示すように、ロボットアーム102の先端部を構成する部分であって少なくとも回動中心軸103及びこれに直交する軸を中心に回動可能なアーム先端部分である手首部105に取り付けられており、複数（例えば５個）の物品２が互いに隣り合う物品２間に間隙ａが存在する状態に収納される収納体106と、この収納体106に収納された複数（例えば５個）の物品２を間隙ａが存在する状態のまま同時に挟持して保持する保持体107とを有している。
【００５３】
収納体106は、ロボットアーム102の手首部105の下面に固着された取付板部110を含むベース部材111を有し、このベース部材111には、貫通孔112が形成された複数枚、すなわち例えば６枚の板状部材113が互いに等間隔をおいて固着されている。
【００５４】
これら６枚の板状部材113のうち互いに隣り合う板状部材113間の空間が収納空間（１個の物品２よりも若干大きな空間）114であり、この各収納空間114に１個の物品２が収納される。そして、保持ハンド37の横姿勢時に固定保管体33側からの物品２が載置される板状部材（６枚のうち棚板として機能する板状部材）113と、この板状部材113の上方の収納空間114とによって、物品収納部116が構成されている。つまり、この収納体106は、物品２が一時的に収納される複数（例えば５つ）の物品収納部116を有している。
【００５５】
なお、６枚の板状部材113のうち、保持ハンド37の横姿勢時において最も上に位置する最上位の１枚を除く５枚の板状部材113が、保持ハンド37の横姿勢時に固定保管体33側からの物品２を受け入れてその倒伏状態の物品２の下を向いた面を載置支持する板状の物品支持部（支持板）である。また、６枚の板状部材113のうち、外側の２枚を除く内側の４枚の板状部材113が、互いに隣り合う物品２同士を仕切って両物品２間に間隙ａを形成（維持）する仕切部（仕切板）である。
【００５６】
また、ベース部材111の先端側には、物品２の下面（蓋体９側とは反対側の端面）における端部分2aを支持する細長板状の一方側支持部材である固定支持板117が固着されている。
【００５７】
さらに、ベース部材の基端側には挟持用シリンダ（駆動手段）118が取り付けられ、この挟持用シリンダ118のロッド部119の先端には、物品２の上面（蓋体９側の端面）における端部分2bを支持して固定支持板117とともに物品２を両端面側から挟持する移動可能な細長板状の他方側支持部材である移動支持板（押さえ板）120が固着されている。この移動支持板120は、挟持用シリンダ118の作動に基づいて、固定支持板117とともに物品２を挟持する作用位置と、その挟持を解除する非作用位置との間で移動する。そして、収納体106に対して固定された固定支持板117と、収納体106に対して移動可能な移動支持板120とによって、保持体107が構成されている。なお、保持体107に物品２を保持させる駆動手段は、挟持用シリンダ118には限定されず、モータ等の他のアクチュエータでもよい。
【００５８】
また、保持ハンド37は、収納体106に収納された複数（例えば５個）の物品２を同時に固定支持板117上から押し出す物品押し体である回動体121を備えている。この回動体121は、保持ハンド37が縦姿勢となって当該保持ハンド37の少なくとも一部、すなわち例えば下半部を含む半分以上の部分がコンテナ３内に進入した状態時において、収納体106に収納された複数（例えば５個）の物品２を固定支持板117上からコンテナ３の側板側へ同時に押し出し、この押し出し動作によって物品２が固定支持板117上から押し出されると、物品２は底板12上に自重で少しの距離だけ落下して、コンテナ３に収納される。
【００５９】
回動体121は、回動中心軸122を介して収納体106に回動可能（移動可能）に取り付けられている。この回動体121は、駆動手段であるダイヤフラム123の伸縮作動に基づいて、回動中心軸122を中心として作用位置及び非作用位置間で移動、つまり回動する。なお、駆動手段には、例えばシリンダやモータ等を採用してもよい。
【００６０】
また、回動体121は、例えば２本のアーム124及びこれらアーム124の先端部同士を連結する連結板125等からなるものであり、収納体106の物品収納部116の数と同数の物品押し部126を有し、この各物品押し部126が物品収納部116内に配設されている。そして、ダイヤフラム123の作動に基づく回動体121の作用位置への回動により、これら５つの物品押し部126が収納体106内の５個の物品２の側面における所定部分2cを押して当該物品２を同時に落下させる。なお、コンテナ３の底板12上に落下して収納された物品２は、コンテナ３の上面開口3aから上方へ突出しておらず、その物品２の上面はコンテナ３の上面開口3aよりも下方に位置している（図１２参照）。
【００６１】
さらに、収納体106の各物品収納部116の一の面（回動体121側とは反対側の面）には第１開口128が開口形成され、当該一の面に対して直交する他の面（固定支持板117側の面）には第２開口129が開口形成されている。そして、保持ハンド37の縦姿勢時には、第１開口128は側方（コンテナ３の第１側板13側の方向）に向かって開口し、第２開口129は下方に向かって開口する（図１１参照）。なお、各物品収納部116の第２開口129のうち、第１開口128側とは反対側に位置する開口部分の下方部が、固定支持板117によって閉鎖されている。
【００６２】
次に、収納装置１の動作等について図面を参照して説明する。
【００６３】
まず、動作図１（図１３）を参照して説明すると、図１３（ａ）に示すように、物品２は、搬送手段23によって倒伏状態のまま搬送され、高速切り離しゾーンＺ２で切り離された後、ストッパ43に当たって停止する。
【００６４】
次いで、図１３（ｂ）及び（ｃ）に示すように、ストッパ43が規制位置から許容位置に移動した後、高速切り離しゾーンＺ２上の１個の物品２は、スライド移動体73の第１位置から第２位置への移動に基づいて前方へ移動する押し体77によって押されて倒伏状態のまま移動し、第１保管手段32の可動保管体31の物品保管部50に搬入される。なお、押し体77による押し動作の際には、高速切り離しゾーンＺ２の搬送ローラ41の駆動を停止または減速しても良い。
【００６５】
この搬入の際、位置決め板70が進出位置に位置して物品保管部50の物品出口55を閉鎖しているため、物品２は、位置決め板70に当たって物品保管部50内の所定位置で停止する。
【００６６】
次いで、図１３（ｄ）に示すように、後続の次の物品２が高速切り離しゾーンＺ２上に供給されるとともに、第１保管手段32の可動保管体31が物品保管部50の１段分の所定距離だけ上昇する。そして、当該次の物品２も同様に、第１移動手段36の押し体77によって前方へ押されて可動保管体31の物品保管部50に搬入される。
【００６７】
このような動作の繰り返しにより、第１保管手段32の可動保管体31には、複数の物品２が倒伏状態でかつ互いに隣り合う物品間に間隙ａが存在する状態に順次搬入されて保管される。
【００６８】
次に、動作図２（図１４及び図１５）を参照して説明すると、図１４（ａ）及び（ｂ）に示すように、物品２が第１移動手段36の押し体77によって押されて可動保管体31に搬入されることで、この可動保管体31に所定数（予め設定された設定数）である５個の物品２が揃った場合には、第２移動手段39の押し体89は、回動用シリンダ95の作動に基づき、非作用位置から作用位置（可動保管体31内の物品２と対向する対向位置）に移動する。
【００６９】
次いで、図１４（ｃ）に示すように、第２移動手段39の移動体88の第１位置から第２位置への移動に基づいて押し体89が前方へ移動すると、可動保管体31の物品保管部50上の５個の物品２は、その押し体89によって押されて倒伏状態のまま間隙ａを維持しつつ一斉に移動し、第２保管手段34の固定保管体33の物品保管部60に搬入されて保管される。
【００７０】
その後、図１４（ｄ）の如く移送手段38の保持ハンド37が横姿勢となって所定位置（固定保管体33からの物品を受け入れる物品受入位置）に到着して、固定保管体33の５つの物品保管部60と保持ハンド37の収納体106の５つの物品収納部116とが互いに近接状に対向した横並び状態になると、図１５（ｅ）に示すように、第２移動手段39の移動体88の第２位置から第３位置への移動に基づいて、押し体89がさらに前方へ移動する。
【００７１】
すると、固定保管体33の物品保管部60上の５個の物品２は、その押し体89によって押されて倒伏状態のまま間隙ａを維持しつつ一斉に移動し、横姿勢で物品受入位置に位置した保持ハンド37の収納体106の物品収納部116に搬入されて収納される。
【００７２】
次いで、図１５（ｆ）に示すように、横姿勢の保持ハンド37の収納体106に収納された倒伏状態の５個の物品２は、固定支持板117と移動支持板120とによって挟持される。この際、これら固定支持板117及び移動支持板120からなる保持体107は、５個の物品２を隣同士の間隙ａを維持したまま同時に挟持する。
【００７３】
次いで、図１５（ｇ）に示すように、保持ハンド37の保持体107で挟持された５個の物品２は、ロボットアーム102の作動に基づいて投入先のコンテナ３に向けて移送される。なお、保持ハンド37へ物品を移載し終えた第２移動手段39の押し体89は、回動用シリンダ95の作動に基づき、作用位置から非作用位置に移動するとともに、移動体88が第１位置に戻って次の動作に備える。
【００７４】
次いで、図１５（ｈ）に示すように、第２保管手段34から容器３へ移動途中の保持ハンド37が横姿勢から縦姿勢に９０度回動され、当該５個の物品２は、倒伏状態から起立状態になる。
【００７５】
そして、図１２に示すように、起立状態で間隙ａを維持した５個の物品２を保持体107で上下から挟持した縦姿勢の保持ハンド37が、コンテナ３内のうち中央空間部11を含むコンテナ内側空間部分に進入して所定位置で停止すると、移動支持板120が移動して保持体107による物品２の挟持が解除されるとともに、回動体121が回動して起立状態の物品２を押して動かす。
【００７６】
すると、起立状態の５個の物品２は、その下面の端部分2aが固定支持板117から離れることでコンテナ３の底板12上に落下して、コンテナ３内に所望状態で収納される。
【００７７】
すなわち、複数の物品２は、蓋体９が上を向いた起立状態でかつ仕切板15によって仕切られて互いに隣り合う物品２間に間隙ａが存在する状態となって、コンテナ３内に収納される。なお、互いに隣り合う物品２間の間隙ａの大きさは、コンテナ３内、保持ハンド37内、固定保管体33内、及び可動保管体31内において、厳密な意味で同じである必要はなく、略同じであればよい。特に、コンテナ３内では、起立状態の物品２は、仕切板15に凭れ掛かった状態であるため、各間隙ａの大きさも一定ではない。
【００７８】
そして、１つのコンテナ３内に２０個の物品２が冷気通過用の間隙ａを維持して所望状態に収納されると、当該実コンテナ３は実コンテナ搬送手段25によってコンテナ停止位置から次工程の冷却装置へ向けて搬出され、その代わりに、空コンテナ３が空コンテナ搬送手段24によってコンテナ停止位置へ供給される。
【００７９】
なお、この動作図２では、上側押し部97の押し体89の動作について説明したが、下側押し部98の押し体89の動作も基本的に同様であり、この点は次の動作図３で説明する。
【００８０】
次に、動作図３（図１６及び図１７）を参照して説明する。
【００８１】
まず図１６（ａ）〜（ｅ）に示すように、上述した第１移動手段36の押し体77による物品２の押し動作（動作図１参照）の繰り返しによって、物品２が物品保管部50に搬入される度に可動保管体31が１段分の所定距離だけ上昇して、その可動保管体31の５つの物品保管部（最下段の物品保管部50a以外のもの）50のすべてに物品２が搬入された場合には、図１６（ｆ）の如く、上側押し部97の押し体89が非作用位置から作用位置へ移動する。
【００８２】
次いで、図１６（ｇ）及び（ｈ）に示すように、上側押し部97の押し体89が前方へ移動すると、５個の物品２は、その上側押し部97の押し体89によって押されて移動することで、固定保管体33の上側物品保管部60に搬入されて保管される。
【００８３】
また、この上側押し部97の押し体89が前方へ移動している間に、物品保管部50aの最下段は空いた状態であるため、第１移動手段36の押し体77が前方へ移動（押し体89よりも高速で移動）し、次の１個の物品２は、その押し体77によって押されて移動することで最下段の物品保管部50aに搬入される。この際、位置決め板70が物品出口55を閉鎖しているため、物品２は最下段の物品保管部50a内の所定位置で停止する。なお、この最下段の物品保管部50aへの搬入後でかつ、上段の物品２群の固定保管部33への移動が完了していると、可動保管体31は、後続の物品２が物品保管部50に搬入される度に１段分の所定距離だけ下降する。
【００８４】
次いで、図１７（ｉ）及び（ｊ）に示すように、横姿勢の保持ハンド37が上側の物品受入位置に到着した後、上側押し部97の押し体89がさらに前方へ移動すると、５個の物品２は、その上側押し部97の押し体89によって押されて移動することで、横姿勢の保持ハンド37内に搬入される。
【００８５】
次いで、図１７（ｋ）に示すように、移送手段38の保持ハンド37は、５個の物品２を保持した後、コンテナ３に向かって移動する。そして、保持ハンド37は、コンテナ３内に進入した縦姿勢の状態で物品２の挟持を解除して、５個の物品２を回動体121の物品押し部126で押してコンテナ３に所望状態に収納する。
【００８６】
続いて、図１７（ｌ）に示すように、移送手段38の動作時に、可動保管体31の５つの物品保管部（最上段の物品保管部50b以外のもの）50のすべてに物品２が搬入された場合には、下側押し部98の押し体89が非作用位置から作用位置へ移動する。
【００８７】
次いで、図１７（ｍ）に示すように、下側押し部98の押し体89が前方へ移動すると、５個の物品２は、その下側押し部98の押し体89によって押されて移動することで、固定保管体33の下側物品保管部60に搬入されて保管される。
【００８８】
また、この下側押し部98の押し体89が前方へ移動している間に、物品保管部50aの最上段は空いた状態であるため、第１移動手段36の押し体77が前方へ移動（押し体89よりも高速で移動）し、次の１個の物品２は、その押し体77によって押されて移動することで最上段の物品保管部50bに搬入される。この際、位置決め板70が物品出口55を閉鎖しているため、物品２は最上段の物品保管部50b内の所定位置で停止する。なお、この搬入後においては、可動保管体31は後続の物品２が物品保管部50に搬入される度に１段分の所定距離だけ上昇する。
【００８９】
次いで、図１７（ｎ）及び（ｏ）に示すように、横姿勢の保持ハンド37が下側の物品受入位置に到着した後、下側押し部97の押し体89がさらに前方へ移動すると、５個の物品２は、その下側押し部97の押し体89によって押されて移動することで、横姿勢の保持ハンド37内に搬入される。
【００９０】
その後、移送手段38の保持ハンド37は、保持体107で５個の物品２を保持した後、コンテナ３に向かって移動する。そして、保持ハンド37は、コンテナ３内に進入した縦姿勢の状態で保持体107による物品２の挟持を解除して、５個の物品２を回動体121の物品押し部126で押してコンテナ３に互いに隣り合う物品２間に所定の大きさの間隙ａが存在するように収納する。
【００９１】
このような動作の繰り返しにより、固定保管体33の上側物品保管部60及び下側物品保管部60に対して所定数である５個の物品２が交互に一時保管されつつ、移送手段38の保持ハンド37によってコンテナ３内へ物品２が５個ずつ順次投入されて収納される。
【００９２】
そして、このような収納装置１によれば、搬送手段23、第１保管手段32、第２保管手段34、第１移動手段36、第２移動手段39及び移送手段38を備えるため、仕切板15を有するコンテナ３に対して、複数の物品２を起立状態で隣り合う物品２間に間隔ａを維持した所望状態に適切に収納することができる。
【００９３】
また、例えば作業者が手作業で物品２をコンテナ３に収納する場合に比べて、作業効率良く収納できる。
【００９４】
さらに、バッファ機能を有する第２保管手段34が第１保管手段32の下流に近接して設けられているため、例えば移送手段38の待機時間をなくすことができ、作業効率の向上を図ることができる。
【００９５】
また、第１保管手段32は、搬送手段23側からの物品２が搬入される度に所定距離だけ上昇又は下降する昇降可能な棚状の可動保管体31を有するため、例えば搬送手段23の下流で仕切付きの搬送ベルトがその搬送手段23の搬送方向に沿った方向に回行しながら物品２を受け入れて一時的に保管する構成等に比べて、省スペース化を容易に図ることができ、レイアウトの自由度が向上する。
【００９６】
さらに、移送手段38の保持ハンド37は、横姿勢で複数の物品２を受け入れて保持し、その後横姿勢から縦姿勢に姿勢変更することで複数の物品２を倒伏状態から起立状態にしてから、コンテナ３内に中央空間部11を利用して進入した状態で物品２の保持を解除して複数の物品２をコンテナ３に収納するため、物品２の損傷等を防止しつつ、複数の物品２をコンテナ３内の各収納位置に適切に収納できる。
【００９７】
また、可動保管体31の物品保管部50の数は、移送手段38の保持ハンド37が保持体107で同時に挟持して保持する物品２の数よりも多いため、作業効率の向上をより一層図ることができる。第２移動手段39で物品２を可動保管体31から搬出中に、第１移動手段36により空の物品保管部50へ物品を搬入することができる。
【００９８】
さらに、固定保管体33の物品保管部60の数は、可動保管体31の物品保管部50の倍数となっているため、可動保管体31が上昇位置および下降位置に位置変化した状態のままで第２移動手段39が物品２を可動保管体31から固定保管体33へ移動させることができ、移送作業の効率がより向上する。
【００９９】
次に、本発明の第２の実施の形態について図１８ないし図２０を参照して説明する。
【０１００】
第２の実施の形態に係る収納装置１は、上述の第１の実施の形態とは異なり、第２保管手段34を備えておらず、保管手段として第１保管手段32（以下、「保管手段32」という）のみを備えたものである。なお、この保管手段32のみで物品保管手段30が構成されている。
【０１０１】
また、この収納装置１では、搬送手段23は、低速アキュームゾーン用のベルトコンベヤ131と、高速切り離しゾーン用のベルトコンベヤ132とを有している。
【０１０２】
さらに、第１移動手段36は、倒伏状態の物品２を押すことで搬送手段23のベルトコンベヤ132から保管手段32の可動保管体31に物品２を１つずつ移動させる前後方向及び左右方向に移動可能な１本の棒状の押し体（プッシャ）133を有している。
【０１０３】
また、第２移動手段39は、倒伏状態の物品２を押すことで保管手段32の可動保管体31から移送手段38の保持ハンド37の収納体106に物品２を複数（例えば５つ）同時に移動させる前後方向に移動可能な押し体（プッシャ）134を有している。この押し体134は、例えば複数（例えば５本）の物品押し用の棒状部材135によって構成されている。
【０１０４】
そして、この収納装置１の動作を図２０を参照して説明すると、ます図２０（ａ）に示すように、物品２は、搬送手段23によって倒伏状態のまま搬送され、高速切り離しゾーン用のベルトコンベヤ132上の所定位置で停止する。
【０１０５】
次いで、図２０（ｂ）に示すように、ベルトコンベヤ132上の１個の物品２は、前方へ移動する押し体133によって押されて倒伏状態のまま移動し、保管手段32の可動保管体31の物品保管部50に搬入される。この搬入後、第１移動手段36の押し体133は元の位置へ戻り、可動保管体31は１段分の所定距離だけ上昇して次の物品２を受け入れ可能な状態となる。
【０１０６】
そして、このような動作の繰り返しによって、図２０（ｃ）に示すように、保管手段32の可動保管体31の５つの物品保管部（最下段の物品保管部50a以外のもの）50には、予め設定された所定数（設定数）である５個の物品２が搬入されて保管される。
【０１０７】
次いで、図２０（ｄ）及び（ｅ）に示すように、横姿勢の保持ハンド37が所定位置に到着した後、第２移動手段39の押し体134が前方へ移動すると、５個の物品２は、その押し体134によって押されて移動することで、移送手段38の保持ハンド37の収納体106に搬入されて収納される。この押し体134の移動時に、第１移動手段36の押し体133も移動して次の物品２を押して最下段の物品保管部50aに搬入する。
【０１０８】
その後、移送手段38の保持ハンド37は、保持体107で５個の物品２を保持した後、コンテナ３に向かって移動する。そして、保持ハンド37は、コンテナ３内に進入した縦姿勢の状態で保持体107による物品２の挟持を解除して、５個の物品２を回動体121の物品押し部126で押してコンテナ３に所望状態に収納する。なお、押し体134は、空の物品保管部50aの隙間を通って、押し出し前の位置に戻るようにしても良い。
【０１０９】
したがって、この第２の実施の形態に係る収納装置１でも、上述の第１の実施の形態と同様、コンテナ３に対して複数の物品２を所望状態に適切に収納できる等の作用効果を奏することができる。
【０１１０】
なお、上記いずれの実施の形態においても、移送手段38の保持ハンド37は、図１０ないし図１２に示すものには限定されず、例えば図２１に示すものでもよい。
【０１１１】
この図２１に示す保持ハンド37は、回動体121及びこれを回動させるダイヤフラム123等を備えていない。
【０１１２】
それゆえ、この保持ハンド37では、図２１に示すように、保持体107による物品２の保持解除後に、ロボットアーム102の手首部105の回動中心軸103を中心とする回動によって保持ハンド37を中央空間部11内で傾動させると、複数の物品２が自重で落下してコンテナ３内に所望状態に収納される。この保持ハンド37の傾動動作は、保持ハンド37をロボットアーム102に対して回動中心軸103を中心として回動させる方法でもよいし、ロボットアーム自体を傾動させる方法でもよい。
【０１１３】
なお、ハンド装置である保持ハンド37は、例えば図示しないが、物品の上面を吸着保持するバキューム式の複数の吸着保持部を有するものや、物品の上端部を挟持する複数の挟持部を有するもの等でもよい。また、保持ハンド37は、５個の物品２を同時に保持可能なものには限定されず、例えばコンテナ３内での１列分（収納部材に対応した物品列）、すなわち例えば１０個の物品２を同時に保持可能なものでもよい。
【０１１４】
また、第１移動手段は、突起または桟付きのベルト、チェーン等を備えたコンベヤとし、その突起等で物品２を可動保管体側に押し出すものでもよいし、搬送方向を前下がりにすることで可動保管体側に物品２を送り込むものでもよい。
【０１１５】
さらに、第２移動手段は、例えば可動保管体や固定保管体に設けられた複数の搬送ローラ等でもよい。
【０１１６】
また、可動保管体内の所定位置に物品を位置決めする位置決め手段は、例えば可動保管体に回動可能に設けられた位置決め用の回動部材を有するもの等でもよい。
【０１１７】
さらに、複数の物品を隣接する物品間に間隙を維持して保管可能な物品保管手段は、１つの保管手段32のみからなるものや、２つの保管手段32，34からなるものには限定されず、例えば搬送手段の搬送方向に沿って並ぶ３つ以上の保管手段からなるもの等でもよい。
【０１１８】
さらに、上記の実施の形態では、物品２および収納部材３として、保冷材および保冷材用のコンテナを例示したが、物品２および収納部材３はこれらに限られるものではなく、種々の物品および物品に対応する収納部材を用いることができる。
【０１１９】
以上、本発明の実施の形態について説明したが、本発明は上記実施の形態に何ら限定されるものではなく、本発明の要旨を逸脱しない範囲で種々の改変が可能である。
【符号の説明】
【０１２０】
１    収納装置
２    物品
３    収納部材であるコンテナ
23    搬送手段
31    可動保管体
32    第１保管手段（保管手段）
33    固定保管体
34    第２保管手段
36    第１移動手段
37    保持ハンド
38    移送手段
39    第２移動手段
50    可動保管体の物品保管部
60    固定保管体の物品保管部
106   収納体
107   保持体
ａ    間隙
【図１】
0006987607.tif 000002
【図２】
0006987607.tif 000003
【図３】
0006987607.tif 000004
【図４】
0006987607.tif 000005
【図５】
0006987607.tif 000006
【図６】
0006987607.tif 000007
【図７】
0006987607.tif 000008
【図８】
0006987607.tif 000009
【図９】
0006987607.tif 000010
【図１０】
0006987607.tif 000011
【図１１】
0006987607.tif 000012
【図１２】
0006987607.tif 000013
【図１３】
0006987607.tif 000014
【図１４】
0006987607.tif 000015
【図１５】
0006987607.tif 000016
【図１６】
0006987607.tif 000017
【図１７】
0006987607.tif 000018
【図１８】
0006987607.tif 000019
【図１９】
0006987607.tif 000020
【図２０】
0006987607.tif 000021
【図２１】
0006987607.tif 000022